(57)【要約】【構成】治療計画装置７０は、患者の治療部位を表す放射線画像に基づいて患者の治療計画を立案する。ＲＩＳ端末２０は、治療計画装置７０と協働して患者の放射線治療を支援する。ＲＩＳ端末２０に設けられたＣＰＵは、患者の治療部位を示す治療部位情報を患者ＩＤに予め割り当てる。患者のための治療計画が治療計画装置７０によって立案されると、ＣＰＵは、立案された治療計画を識別する治療計画ＩＤを検出し、さらに所望の治療部位を選択する治療部位選択操作を受け付ける。ＣＰＵ２０２はその後、治療部位選択操作によって選択された治療部位に相当する治療部位情報が割り当てられた患者ＩＤに、上述の治療計画ＩＤを割り当てる。【効果】所望の治療計画を選択する作業の効率を高めることができる。【選択図】図１
2017086336.tif 000002
【特許請求の範囲】
【請求項１】
患者の治療部位を表す放射線画像に基づいて前記患者の治療計画を立案する治療計画装置と協働して前記患者の放射線治療を支援する放射線治療支援装置であって、
前記患者の治療部位を示す治療部位情報を前記患者を識別する患者情報に割り当てる第１割り当て手段、
前記患者のために前記治療計画装置によって立案された治療計画を示す治療計画情報を検出する検出手段、
前記検出手段の処理に関連して所望の治療部位を選択する治療部位選択操作を受け付ける治療部位選択操作受け付け手段、および
前記治療部位選択操作によって選択された治療部位に相当する治療部位情報が割り当てられた患者情報に前記検出手段によって検出された治療計画情報を割り当てる第２割り当て手段を備える、放射線治療支援装置。
【請求項２】
前記患者の治療部位を入力する入力操作を受け付ける入力操作受け付け手段をさらに備え、
前記第１割り当て手段によって割り当てられる治療部位情報は前記入力操作によって入力された治療部位を示す治療部位情報である、請求項１記載の放射線治療支援装置。
【請求項３】
前記第１割り当て手段は前記治療計画装置の立案作業に先立って割り当て処理を実行する、請求項１または２記載の放射線治療支援装置。
【請求項４】
前記検出手段によって検出された治療計画情報は前記患者に対してこれまでに立案された１または２以上の治療計画の各々を示し、
前記第２割り当て手段によって割り当てられる治療計画情報は前記１または２以上の治療計画のうち所望の治療計画を示す治療計画情報である、請求項１ないし３のいずれかに記載の放射線治療支援装置。
【請求項５】
前記１または２以上の治療計画をそれぞれ示す１または２以上のメニュー項目を表示するメニュー項目表示手段、および
前記メニュー項目表示手段によって表示された１または２以上のメニュー項目のいずれか１つを選択するメニュー項目選択操作を受け付けるメニュー項目選択操作受け付け手段をさらに備え、
前記所望の治療計画は前記メニュー項目選択操作によって選択されたメニュー項目の治療計画である、請求項４記載の放射線治療支援装置。
【請求項６】
患者の治療部位を表す放射線画像に基づいて前記患者の治療計画を立案する治療計画装置と協働して前記患者の放射線治療を支援する放射線治療支援装置によって実行される放射線治療支援方法であって、
前記患者の治療部位を示す治療部位情報を前記患者を識別する患者情報に割り当てる第１割り当てステップ、
前記患者のために前記治療計画装置によって立案された治療計画を示す治療計画情報を検出する検出ステップ、
前記検出ステップの処理に関連して所望の治療部位を選択する治療部位選択操作を受け付ける治療部位選択操作受け付けステップ、および
前記治療部位選択操作によって選択された治療部位に相当する治療部位情報が割り当てられた患者情報に前記検出ステップによって検出された治療計画情報を割り当てる第２割り当てステップを備える、放射線治療支援方法。
【請求項７】
患者の治療部位を表す放射線画像に基づいて前記患者の治療計画を立案する治療計画装置と協働して前記患者の放射線治療を支援する放射線治療支援装置のプロセッサに、
前記患者の治療部位を示す治療部位情報を前記患者を識別する患者情報に割り当てる第１割り当てステップ、
前記患者のために前記治療計画装置によって立案された治療計画を示す治療計画情報を検出する検出ステップ、
前記検出ステップの処理に関連して所望の治療部位を選択する治療部位選択操作を受け付ける治療部位選択操作受け付けステップ、および
前記治療部位選択操作によって選択された治療部位に相当する治療部位情報が割り当てられた患者情報に前記検出ステップによって検出された治療計画情報を割り当てる第２割り当てステップを実行させるための、放射線治療支援プログラム。
【発明の詳細な説明】
【技術分野】
【０００１】
この発明は、放射線治療支援装置、放射線治療支援方法、および放射線治療支援プログラムに関し、特に、患者の治療部位を表す放射線画像に基づいて患者の治療計画を立案する治療計画装置と協働して患者の放射線治療を支援する、放射線治療支援装置、放射線治療支援方法、および放射線治療支援プログラムに関する。
【背景技術】
【０００２】
この種の装置の一例が特許文献１に開示されている。この文献によれば、異なる時情報を有する同一患者の複数の医療用データのうち、一部の期間における医療用データの一覧を示す一覧画像が、表示画面に表示される。表示画面内にはまた、医療用データの時情報のうち最も古い時から現在までの期間を示す期間画像および帯状インジケータが表示される。これによって、いつ作成された医療用データであるかを一目で容易に認識することができる。
【０００３】
つまり、特許文献１で開示されているのは、画像種別×検査期間の２次マトリックスで操作者の視覚的便宜を図る手法である。画像種別の分類は、各種検査装置の種別を容易に把握できるようにするためのものであり、検査期間の分類は、同一の病態の経年変化を容易に把握できるようにするためのものである。
【先行技術文献】
【特許文献】
【０００４】
【特許文献１】特開２０１３−２２８９６８号公報
【発明の概要】
【発明が解決しようとする課題】
【０００５】
しかしながら、この手法は、放射線検査部門にとっては便利であるが、放射線治療部門にとっては必ずしも便利であるとは限らない。つまり、放射線治療部門にとって重要なのは、検査期間よりもむしろ、同一画像種別の重ね合わせによる積算線量である。これは放射線治療部門の特徴であり、同一部位に照射できる放射線量の積算値の上限が決められていることによる。たとえば、１０年前の放射線画像は、放射線検査部門では重要ではないが、放射線治療部門では重要なのである。
【０００６】
放射線治療部門では、放射線画像は治療計画の立案のために撮影され、投与する放射線量は治療計画に記載される。したがって、共通の患者に対して照射された放射線量を把握する上では、共通の患者に対して過去に立案された治療計画を如何に効率的に選択できるかが課題となる。
【０００７】
それゆえに、この発明の主たる目的は、共通の患者について立案された複数の治療計画の中から所望の治療計画を選択する作業の効率性を高めることができる、放射線治療支援装置、放射線治療支援方法、および放射線治療支援プログラムを提供することである。
【課題を解決するための手段】
【０００８】
この発明に係る放射線治療支援装置(20：実施例で相当する参照符号。以下同じ)は、患者の治療部位を表す放射線画像に基づいて患者の治療計画を立案する治療計画装置(70)と協働して患者の放射線治療を支援する放射線治療支援装置(20)であって、患者の治療部位を示す治療部位情報を患者を識別する患者情報に割り当てる第１割り当て手段(S9)、患者のために治療計画装置によって立案された治療計画を示す治療計画情報を検出する検出手段(S25)、検出手段の処理に関連して所望の治療部位を選択する治療部位選択操作を受け付ける治療部位選択操作受け付け手段(S29)、および治療部位選択操作によって選択された治療部位に相当する治療部位情報が割り当てられた患者情報に検出手段によって検出された治療計画情報を割り当てる第２割り当て手段(S39~S41)を備える。
【０００９】
好ましくは、患者の治療部位を入力する入力操作を受け付ける入力操作受け付け手段(S7)がさらに備えられ、第１割り当て手段によって割り当てられる治療部位情報は入力操作によって入力された治療部位を示す治療部位情報である。
【００１０】
好ましくは、第１割り当て手段は治療計画装置の立案作業に先立って割り当て処理を実行する。
【００１１】
好ましくは、検出手段によって検出された治療計画情報は患者に対してこれまでに立案された１または２以上の治療計画の各々を示し、第２割り当て手段によって割り当てられる治療計画情報は１または２以上の治療計画のうち所望の治療計画を示す治療計画情報である。
【００１２】
さらに好ましくは、１または２以上の治療計画をそれぞれ示す１または２以上のメニュー項目を表示するメニュー項目表示手段(S27)、およびメニュー項目表示手段によって表示された１または２以上のメニュー項目のいずれか１つを選択するメニュー項目選択操作を受け付けるメニュー項目選択操作受け付け手段(S31)がさらに備えられ、所望の治療計画はメニュー項目選択操作によって選択されたメニュー項目の治療計画である。
【００１３】
この発明に係る放射線治療支援方法は、患者の治療部位を表す放射線画像に基づいて患者の治療計画を立案する治療計画装置(70)と協働して患者の放射線治療を支援する放射線治療支援装置(20)によって実行される放射線治療支援方法であって、患者の治療部位を示す治療部位情報を患者を識別する患者情報に割り当てる第１割り当てステップ(S9)、患者のために治療計画装置によって立案された治療計画を示す治療計画情報を検出する検出ステップ(S25)、検出ステップの処理に関連して所望の治療部位を選択する治療部位選択操作を受け付ける治療部位選択操作受け付けステップ(S29)、および治療部位選択操作によって選択された治療部位に相当する治療部位情報が割り当てられた患者情報に検出ステップによって検出された治療計画情報を割り当てる第２割り当てステップ(S39~S41)を備える。
【００１４】
この発明に係る放射線治療支援プログラムは、患者の治療部位を表す放射線画像に基づいて患者の治療計画を立案する治療計画装置(70)と協働して患者の放射線治療を支援する放射線治療支援装置(20)のプロセッサ(202)に、患者の治療部位を示す治療部位情報を患者を識別する患者情報に割り当てる第１割り当てステップ(S9)、患者のために治療計画装置によって立案された治療計画を示す治療計画情報を検出する検出ステップ(S25)、検出ステップの処理に関連して所望の治療部位を選択する治療部位選択操作を受け付ける治療部位選択操作受け付けステップ(S29)、および治療部位選択操作によって選択された治療部位に相当する治療部位情報が割り当てられた患者情報に検出ステップによって検出された治療計画情報を割り当てる第２割り当てステップ(S39~S41)を実行させるための、放射線治療支援プログラムである。
【発明の効果】
【００１５】
患者情報には治療部位情報および治療計画情報が割り当てられるため、共通の患者について立案された複数の治療計画の各々を治療部位との関連で特定することができ、ひいては所望の治療計画を選択する作業の効率を高めることができる。
【００１６】
この発明の上述の目的，その他の目的，特徴および利点は、図面を参照して行う以下の実施例の詳細な説明から一層明らかとなろう。
【図面の簡単な説明】
【００１７】
【図１】この実施例の複合医療支援システムの構成を示すブロック図である。
【図２】図１に示すＲＩＳ端末の構成の一例を示すブロック図である。
【図３】図１に示すＲＩＳサーバの構成の一例を示すブロック図である。
【図４】図１に示すビューワの構成の一例を示すブロック図である。
【図５】（Ａ）はデータベースによって管理されるテーブルの構成の一例を示す図解図であり、（Ｂ）はデータベースによって管理される他のテーブルの構成の一例を示す図解図である。
【図６】ビューワによって保持されるレジスタの構成の一例を示す図解図である。
【図７】（Ａ）は治療計画装置によって治療計画が立案される前のＤＩＣＯＭファイルの構造の一例を示す図解図であり、（Ｂ）は治療計画装置によって治療計画が立案された後のＤＩＣＯＭファイルの構造の一例を示す図解図である。
【図８】ＲＩＳ端末のディスプレイ装置に表示されるＲＩＳ情報入力画面の一例を示す図解図である。
【図９】（Ａ）はＲＩＳ端末のディスプレイ装置に表示される統合処理画面の一例を示す図解図であり、（Ｂ）はＲＩＳ端末のディスプレイ装置に表示される統合処理画面の他の一例を示す図解図である。
【図１０】（Ａ）はビューワのディスプレイ装置に表示される治療計画確認画面の一例を示す図解図であり、（Ｂ）はビューワのディスプレイ装置に表示される治療計画確認画面の他の一例を示す図解図である。
【図１１】ＲＩＳ端末に設けられたＣＰＵの動作の一部を示すフロー図である。
【図１２】ＲＩＳサーバに設けられたＣＰＵの動作の一部を示すフロー図である。
【図１３】ＲＩＳ端末に設けられたＣＰＵの動作の他の一部を示すフロー図である。
【図１４】ＲＩＳ端末に設けられたＣＰＵの動作のその他の一部を示すフロー図である。
【図１５】ビューワに設けられたＣＰＵの動作の一部を示すフロー図である。
【発明を実施するための形態】
【００１８】
図１を参照して、この実施例の複合医療支援システム１００は、通信網８０を介して互いに接続されたＨＩＳサーバ１０，ＲＩＳ端末２０，ＲＩＳサーバ３０，ビューワ４０，データベース５０，ＣＴ装置６０および治療計画装置７０によって構成される。このうち、ＨＩＳサーバ１０以外の装置は放射線治療部門に設けられる。
【００１９】
ＲＩＳ端末２０は図２に示すように構成され、ＲＩＳサーバ３０は図３に示すように構成され、ビューワ４０は図４に示すように構成される。
【００２０】
ＲＩＳ端末２０において、バスＢＳ１には、通信Ｉ／Ｆ２０１，ＣＰＵ２０２，キーボード／マウス２０３，ディスプレイ装置２０４，ＤＲＡＭ２０５および主記憶装置２０６が接続される。通信網８０は、通信Ｉ／Ｆ２０１と接続される。
【００２１】
ＲＩＳサーバ３０において、バスＢＳ２には、通信Ｉ／Ｆ３０１，ＣＰＵ３０２，ＤＲＡＭ３０３および主記憶装置３０４が接続される。通信網８０は、通信Ｉ／Ｆ３０１と接続される。
【００２２】
ビューワ４０において、バスＢＳ３には、通信Ｉ／Ｆ４０１，ＣＰＵ４０２，キーボード／マウス４０３，ディスプレイ装置４０４，ＤＲＡＭ４０５および主記憶装置４０６が接続される。通信網８０は、通信Ｉ／Ｆ４０１と接続される。
【００２３】
ＲＩＳ端末２０に設けられたＣＰＵ２０２は図１１，図１３〜図１４に示すフロー図に従う処理を実行し、ＲＩＳサーバ３０に設けられたＣＰＵ３０２は図１２に示すフロー図に従う処理を実行し、ビューワ４０に設けられたＣＰＵ４０２は図１５に示すフロー図に従う処理を実行する。
【００２４】
ここで、図１１，図１３〜図１４に示すフロー図に対応する制御プログラムは主記憶装置２０６に保存され、図１２に示すフロー図に対応する制御プログラムは主記憶装置３０４に保存され、図１５に示すフロー図に対応する制御プログラムは主記憶装置４０６に保存される。以下では、病院を訪れた患者の行動に沿って、各フロー図の処理を説明する。
【００２５】
患者はまず、主治医の診断を受ける。主治医は、当該患者のために電子カルテを作成し、作成された電子カルテをＨＩＳサーバ１０に保存する。保存された電子カルテには、患者を識別する患者ＩＤ（患者情報）に加えて、主治医の所見が記載される。
【００２６】
ＲＩＳ端末２０のＣＰＵ２０２は、この時点で図１１に示すフロー図に従う処理を実行する。まずステップＳ１で通信Ｉ／Ｆ２０１および通信網８０を介してＨＩＳサーバ１０にアクセスし、所望の電子カルテをＨＩＳサーバ１０から取得する。取得された電子カルテは、通信網８０および通信Ｉ／Ｆ２０１を介して受信され、ＤＲＡＭ２０５に格納される。
【００２７】
ステップＳ３では、当該電子カルテに記載された患者ＩＤをデータベース５０に設けられたテーブルＴＢＬ１に登録する。このとき、患者ＩＤは通信Ｉ／Ｆ２０１から出力され、通信網８０を介してデータベース５０に転送される。テーブルＴＢＬ１は図５（Ａ）に示すように構成され、患者ＩＤは左側のカラムに記述される。
【００２８】
ステップＳ５では、ディスプレイ装置２０４を駆動して、図８に示すＲＩＳ情報入力画面を表示する。図８によれば、取得した電子カルテに記載された患者ＩＤおよび主治医の所見が表示されるとともに、治療部位入力欄が表示される。ＲＩＳ端末２０の操作者は、主治医の所見に基づいて患者のどの部分が治療部位であるかを把握する。
【００２９】
ステップＳ７では、キーボード／マウス２０３の操作によって所望の治療部位が治療部位入力欄に入力されたか否かを判別する。判別結果がＮＯからＹＥＳに更新されるとステップＳ９に進み、入力された治療部位を示す治療部位情報をテーブルＴＢＬ１に登録する。このときも、治療部位情報は通信Ｉ／Ｆ２０１から出力され、通信網８０を介してデータベース５０に転送される。治療部位情報は、ステップＳ３で登録された患者ＩＤに割り当てられるように、テーブルＴＢＬ１の中央のカラムに記述される。
【００３０】
なお、同じ患者が複数の部位を患っている場合、図１１に示す処理は複数回繰り返される。この結果、共通の患者ＩＤがテーブルＴＢＬ１の左側の複数のカラムに記述され、互いに異なる治療部位情報が各患者ＩＤに対応してテーブルＴＢＬ１の中央のカラムに記述される。
【００３１】
たとえば、患者ＩＤが“１００”を示す患者が右肺上葉，右肺中葉および腸骨を患っている場合、テーブルＴＢＬ１の右側の３つのカラムに“１００”が記述され、“右肺上葉”，“右肺中葉”および“腸骨”がこの３つのカラムに対応する中央の３つのカラムに記述される（図５（Ａ）参照）。
【００３２】
ＲＩＳ端末２０による上述の処理と並行して、患者は、ＣＴ装置６０が設置された撮影室を訪れ、放射線技師は、ＣＴ装置６０を操作して患者の治療部位を撮影する。この結果、図７（Ａ）に示すＤＩＣＯＭファイルが作成される。図７（Ａ）によれば、ＤＩＣＯＭファイルには、患者ＩＤを含む複数の情報と治療部位を表す放射線画像とが収められる。ＣＴ装置６０によって作成されたＤＩＣＯＭファイルは、通信網８０を介して治療計画装置７０に転送される。
【００３３】
なお、複数の部位を治療する場合、撮影は治療部位毎に行われる。上述の例では、１回目の撮影は患者の右肺上葉を対象として行われ、２回目の撮影は患者の右肺中葉を対象として行われ、３回目の撮影は患者の腸骨を対象として行われる。治療計画装置７０には、３つのＤＩＣＯＭファイルが転送される。
【００３４】
治療計画装置７０は、転送されたＤＩＣＯＭファイル内の放射線画像を参照して、治療部位毎に治療計画を立案する。立案された治療計画を識別する治療計画ＩＤ（治療計画情報）は、参照元の放射線画像を収めたＤＩＣＯＭファイルに追記される（図７（Ｂ）参照）。立案された治療計画は、治療計画ＩＤが追記されたＤＩＣＯＭファイルとともに、通信網８０を経てデータベース５０に保存される。なお、撮影を終えた患者は、会計等の手続きを行った後に病院を後にする。
【００３５】
ＲＩＳサーバ３０のＣＰＵ３０２は、治療計画ＩＤが追記されたＤＩＣＯＭファイルを参照して、図１２に示すフロー図に従う処理を実行する。まずステップＳ１１で、当該ＤＩＣＯＭファイルをデータベース５０から取得する。取得されたＤＩＣＯＭファイルは、通信網８０および通信Ｉ／Ｆ３０１を介して受信され、ＤＲＡＭ３０３に格納される。
【００３６】
ステップＳ１３では、ＤＲＡＭ３０３上のＤＩＣＯＭファイルから患者ＩＤ，治療計画ＩＤおよび放射線画像を抽出する。ステップＳ１５では、抽出した放射線画像に基づいて低解像度の参照画像を作成する。ステップＳ１７では、ステップＳ１３で抽出した患者ＩＤおよび治療計画ＩＤとステップＳ１５で作成された参照画像とを、データベース５０に設けられたテーブルＴＢＬ２に登録する。
【００３７】
このとき、患者ＩＤ，治療計画ＩＤおよび参照画像は通信Ｉ／Ｆ３０１から出力され、通信網８０を介してデータベース５０に転送される。テーブルＴＢＬ２は図５（Ｂ）に示すように構成され、患者ＩＤ，治療計画ＩＤおよび参照画像は、同じ段に形成された３つカラムにそれぞれ記述される。なお、テーブルＴＢＬ２への登録が完了していないＤＩＣＯＭファイルが複数存在する場合は、図１２に示す処理は複数回繰り返される。
【００３８】
ＲＩＳ端末２０のＣＰＵ２０２は、患者ＩＤ，治療計画ＩＤおよび参照画像のテーブルＴＢＬ２への登録が完了した後に、図１３に示すフロー図に従う処理を実行する。まずステップＳ２１で、ディスプレイ装置２０４を駆動して図９（Ａ）に示す統合処理画面を表示する。図９（Ａ）によれば、患者ＩＤ欄が画面左上に表示され、統合ボタンが画面右上に表示される。また、複数の治療部位をそれぞれ表すメニュー項目が画面左下に表示され、治療計画ＩＤ欄が画面中下に表示され、参照画像欄が画面右下に表示される。
【００３９】
ステップＳ２３では患者ＩＤ入力操作（キーボード／マウス２０３によって患者ＩＤ欄に所望の患者ＩＤを入力する操作）が行われたか否かを判別し、判別結果がＮＯからＹＥＳに更新されるステップＳ２５に進む。ステップＳ２５では、通信Ｉ／Ｆ２０１および通信網８０を介してデータベース５０にアクセスし、入力された患者ＩＤに共通する１または２以上の患者ＩＤをテーブルＴＢＬ２から検出する。ステップＳ２５ではまた、検出した１または２以上の患者ＩＤの各々に割り当てられた治療計画ＩＤおよび参照画像をテーブルＴＢＬ２から検出する。検出された治療計画ＩＤおよび参照画像は、通信Ｉ／Ｆ２０１によって受信され、ＤＲＡＭ２０５に格納される。
【００４０】
ステップＳ２７では、こうして検出された治療計画ＩＤおよび参照画像を治療計画ＩＤ欄および参照画像欄にそれぞれ表示する。テーブルＴＢＬ２の記述が図５（Ｂ）に示す状態で図９（Ａ）に示す患者ＩＤ欄に“１００”が入力された場合、統合処理画面は図９（Ａ）から図９（Ｂ）に遷移する。図９（Ｂ）によれば、患者ＩＤ“１００”が患者ＩＤ欄に表示され、治療計画ＩＤ“１”，“２”および“３”が治療計画ＩＤ欄に表示され、参照画像“Ｐ１”，“Ｐ２”および“Ｐ３”が参照画像欄に表示される。
【００４１】
ステップＳ２９では、治療部位選択操作（画面左下に表示された複数のメニュー項目のいずれか１つをキーボード／マウス２０３によってクリックする操作）が行われたか否かを判別する。また、ステップＳ３１では、治療計画ＩＤ選択操作（治療計画ＩＤ欄に表示された複数の治療計画ＩＤのいずれか１つをキーボード／マウス２０３によってクリックする操作）が行われたか否かを判別する。
【００４２】
ステップＳ２９の判別結果およびステップＳ３１の判別結果のいずれもがＮＯであればステップＳ２９に戻り、ステップＳ２９の判別結果およびステップＳ３１の判別結果のいずれか一方がＹＥＳであればステップＳ３３に進む。ステップＳ３３では、選択された項目（メニュー項目または治療計画ＩＤ）をマークアップする。
【００４３】
ステップＳ３５ではメニュー項目および治療計画ＩＤの両方の選択が完了したか否かを判別し、ステップＳ３７では統合ボタンがキーボード／マウス２０３によってクリックされたか否かを判別する。ステップＳ３５の判別結果およびステップＳ３７の判別結果のいずれか一方がＮＯであればステップＳ２９に戻り、ステップＳ３５の判別結果およびステップＳ３７の判別結果の両方がＹＥＳであればステップＳ３９に進む。
【００４４】
ステップＳ３９では、患者ＩＤ入力操作によって入力された患者ＩＤおよび治療部位選択操作によって選択された治療部位に対応するカラムをテーブルＴＢＬ１上で特定する。患者ＩＤ入力操作によって入力された患者ＩＤが“１００”で、かつ治療部位選択操作によって選択された治療部位が“右肺上葉”であれば、図５（Ａ）に示す最上段のカラムがステップＳ３９で特定される。
【００４５】
ステップＳ４１では、治療計画ＩＤ選択操作によって選択された治療計画ＩＤを、ステップＳ３９で特定したカラムに記述する。上述の例では、治療計画ＩＤ“１”がテーブルＴＢＬ１の最上段のカラムに記述される。選択された治療計画ＩＤは、こうしてテーブルＴＢＬ１上の所望の患者ＩＤに割り当てられる。つまり、治療計画ＩＤは、テーブルＴＢＬ１上で患者ＩＤおよび治療計画情報に統合される。
【００４６】
ステップＳ４３では、統合された治療計画ＩＤを治療計画ＩＤ欄から消去し、対応する参照画像を参照画像欄から消去する。ステップＳ４５では治療計画ＩＤ欄が空欄となったか否かを判別し、判別結果がＮＯであればステップＳ２７に戻る一方、判別結果がＹＥＳであれば処理を終了する。
【００４７】
ビューワ４０のＣＰＵ４０２は、こうして治療計画ＩＤが統合されたテーブルＴＢＬ１を参照して、図１５に示すフロー図に従う処理を実行する。まずステップＳ５１で、ディスプレイ装置２０４を駆動して図１０（Ａ）に示す治療計画確認画面を表示する。図１０（Ａ）によれば、患者ＩＤ欄が画面左上に表示され、人体を模式的に表すグラフィック画像が画面中央やや右側に表示される。
【００４８】
ステップＳ５３では、患者ＩＤ入力操作（キーボード／マウス４０３によって患者ＩＤ欄に所望の患者ＩＤを入力する操作）が行われたか否かを判別し、判別結果がＮＯからＹＥＳに更新されるステップＳ５５に進む。
【００４９】
ステップＳ５５では、通信Ｉ／Ｆ２０１および通信網８０を介してデータベース５０にアクセスし、入力された患者ＩＤに共通する１または２以上の患者ＩＤにそれぞれ割り当てられた１または２以上の治療計画ＩＤをテーブルＴＢＬ２から取得する。取得された１または２以上の治療計画ＩＤは、通信Ｉ／Ｆ４０１によって受信され、ＤＲＡＭ４０５に格納される。
【００５０】
ステップＳ５７では、ＤＲＡＭ４０５に格納された１または２以上の治療計画ＩＤのいずれか１つを指定するための変数Ｋを“１”に設定する。ステップＳ５９では、通信Ｉ／Ｆ２０１および通信網８０を介してデータベース５０にアクセスし、Ｋ番目の治療計画ＩＤと同じ治療計画ＩＤをテーブルＴＢＬ２から探索する。ステップＳ６１では所望の治療計画ＩＤが探知されたか否かを判別し、判別結果がＮＯであればそのままステップＳ６７に進む一方、判別結果がＹＥＳであればステップＳ６３およびＳ６５で以下の処理を実行してからステップＳ６７に進む。
【００５１】
ステップＳ６３では、通信Ｉ／Ｆ２０１および通信網８０を介してデータベース５０にアクセスし、探知された治療計画ＩＤに対応する治療部位情報および参照画像をテーブルＴＢＬ１およびＴＢＬ２からそれぞれ検出する。ステップＳ６７では、主記憶装置４０６に設けられたレジスタＲＧＳＴ１（図６参照）を参照して、ステップＳ６３で検出された参照画像を治療計画確認画面に多重表示する。
【００５２】
図６を参照して、“右肺上葉”を表す治療部位情報には座標（１００，２０）が割り当てられ、“右肺中葉”を表す治療部位情報には座標（８０，４５）が割り当てられる。また、“右肺下葉”を表す治療部位情報には座標（７０，８０）が割り当てられ、“腸骨”を表す治療部位情報には座標（１２０，１２０）が割り当てられる。
【００５３】
したがって、ステップＳ６３で検出された治療部位情報が“右肺上葉”であれば、ステップＳ６３で同時に検出された参照画像は、治療計画確認画面上の座標（１００，２０）に表示される。
【００５４】
ステップＳ６７では変数Ｋをインクリメントし、ステップＳ６９ではインクリメントされた変数Ｋが最大値Ｋｍａｘ（＝ステップＳ５５で取得された治療計画ＩＤの総数）を上回るか否かを判別する。判別結果がＮＯであればステップＳ５９に戻り、判別結果がＹＥＳであれば処理を終了する。したがって、患者ＩＤ“１００”が患者ＩＤ入力操作によって入力された場合、治療計画確認画面は図１０（Ａ）から図１０（Ｂ）に遷移する。
【００５５】
参照画像の多重表示が完了した後にキーボード／マウス４０３によって所望の参照画像がクリックされると、クリックされた参照画像に対応する治療計画ＩＤがテーブルＴＢＬ２上で特定され、特定された治療計画ＩＤを有する治療計画が別画面としてディスプレイ装置２０４に表示される。ビューワ４０の操作者は、表示された治療計画を参照することで、各治療部位に照射された放射線量を把握することができる。
【００５６】
以上の説明から分かるように、治療計画装置７０は、患者の治療部位を表す放射線画像に基づいて患者の治療計画を立案する。ＲＩＳ端末２０は、治療計画装置７０と協働して患者の放射線治療を支援する。ＲＩＳ端末２０に設けられたＣＰＵ２０２は、患者の治療部位を示す治療部位情報を患者ＩＤに予め割り当てる(S9)。
【００５７】
患者のための治療計画が治療計画装置７０によって立案されると、ＣＰＵ２０２は、立案された治療計画を識別する治療計画ＩＤを検出し(S25)、さらに所望の治療部位を選択する治療部位選択操作を受け付ける(S29)。ＣＰＵ２０２はその後、治療部位選択操作によって選択された治療部位に相当する治療部位情報が割り当てられた患者ＩＤに、上述の治療計画ＩＤを割り当てる(S39~S41)。
【００５８】
患者ＩＤには治療部位情報および治療計画ＩＤが割り当てられるため、共通の患者について立案された複数の治療計画の各々を治療部位との関連で報知することができ、ひいては所望の治療計画を選択する作業の効率を高めることができる。
【符号の説明】
【００５９】
１０  …ＨＩＳサーバ
２０  …ＲＩＳ端末
３０  …ＲＩＳサーバ
４０  …ビューワ
５０  …データベース
６０  …ＣＴ装置
７０  …治療計画装置
【図１】
2017086336.tif 000003
【図２】
2017086336.tif 000004
【図３】
2017086336.tif 000005
【図４】
2017086336.tif 000006
【図５】
2017086336.tif 000007
【図６】
2017086336.tif 000008
【図７】
2017086336.tif 000009
【図８】
2017086336.tif 000010
【図９】
2017086336.tif 000011
【図１０】
2017086336.tif 000012
【図１１】
2017086336.tif 000013
【図１２】
2017086336.tif 000014
【図１３】
2017086336.tif 000015
【図１４】
2017086336.tif 000016
【図１５】
2017086336.tif 000017